(57)【要約】【課題】一般家庭などの洗面所で顔を洗うような場合、その最中水は蛇口から出つづけている。無駄になる水の量は一分間に六リットルにもなるという。従来水道の蛇口に簡単に設置してその無駄を防止することができる節水器具はなかった。【解決手段】本発明は節水器具本体１を円形の穴をあけた仕切り面で上下二室に分け、仕切り面の円形の穴を上下に動くパッキンＡ２で塞ぐ。洗面時において節水器具本体１の下の室に取り付けたレバー４を手および足ペダル８で操作することによってパッキンＡ２を上下させて仕切り面の穴を開閉し節水器具本体１の上の室に溜められている水を節水器具本体１の下の室に流したり止めたりして、洗面等で無駄になる水を節約するのである。【選択図】図１
2009007913.tif 000002
【特許請求の範囲】
【請求項１】
節水器具本体を仕切り面によって上下二室に分け、その仕切り面の適当な位置に円形の穴をあけてそれに適合する形状の上下するパッキンを設置している。節水器具本体の下の室に取り付けたレバーを手および足ペダルを操作することによって仕切り面の穴を塞いでいるこのパッキンを上下させ、節水器具本体の上の室に溜められている水を節水器具本体の下の室に流したり止めたりして洗面時等の節水を促す水道の蛇口に取り付ける磁石付き節水器具。
【発明の詳細な説明】
【技術分野】
【０００１】  本発明は、水道の蛇口に取り付けて節水を図る器具に関するものである。
【背景技術】
【０００２】  従来の節水器具には、水道の蛇口の中に挿入して使う節水コマや水道管に挿入して水量を抑える器具がある。また、電気センサーで感知して水を出したり止めたりする蛇口装置がある。しかし一般の家庭などに広く普及している水道の蛇口に簡単に取り付けて顔を洗う時などに流れ出て無駄になる水を抑える器具はなかった。
【発明の開示】
【発明が解決しようとする課題】
【０００３】  洗面所などで手に水を溜めて顔を洗っている最中、水は蛇口から出つづけている。その量は一分間に六リットルにもなると言われる。水道の蛇口に簡単に取り付けてこのような水の無駄を防止する節水器具はなかった。【０００４】  本発明は、広く一般家庭などで起こっているこのような水の無駄使いという問題を解決することを目的とするものである。
【課題を解決するための手段】
【０００５】  本発明は、節水器具本体を上下二室に仕切り、仕切り面には適当な大きさの円形の穴を適当な位置にあけている。その穴にはちょうど合う大きさのパッキンが取り付けられている。下の室には適宜な形状のレバーを装備し、レバーの下部を横に押すことによってレバーの上部がパッキンを押し上げる。これにより節水器具本体の上の室に溜まっている水が下の室に流れ落ちる仕組みである。よって手でレバーを横に押しながら出てきた水をすくうことができる。そしてその水で顔を洗う動作に移ったとき、レバーは節水器具本体の下の室の内部とレバーとの間に取り付けられたゴムに引っ張られて速やかに元の位置に戻り、パッキンもその動きに連動し元の位置に速やかに戻る。そのため水が節水器具本体の上の室から下の室に流れ落ちるのを効率よく止めることができるので節水効果があるのである。【０００６】  また、レバーの下部と節水器具本体の下部の適当な位置に磁石が固着されている。これにより押されたレバーを節水器具本体に接着することができる。この場合水は続けて流れ出るので手を洗うときなどに使うことができる。【０００７】  衛生面を気づかい手でレバーを操作したくない場合は、節水器具本体の上部にアーム機能部を取り付け、その先端に足ペダルからのワイヤーを通す。そしてレバー下部に接続すれば足ペダルを踏むことによって上述と同じ動作ができ、衛生面の心配も減じかつ節水の効果が期待できるのである。
【発明の効果】
【０００８】  上述したように本発明の節水器具は、広く一般に普及している水道の蛇口に簡単に取り付けることができ、それによって顔を洗うときなどに生じる水の無駄使いを防止することができるのである。【０００９】  さらにこの節水器具が広く一般家庭や学校等に普及したならば、一家庭の節水のみならず、地域および国全体の節水に絶大な効果があるものと期待するものである。
【発明を実施するための最良の形態】
【００１０】  以下、本発明の実施の形態を図に基づいて説明する。【００１１】  図のように本発明の節水器具本体１は仕切りによって上下二室に分けられ、仕切り面には円形の穴があけられている。その穴は適当な大きさと形状の上下に動くパッキンＡ２とパッキンＢ３によって閉じられている。節水器具本体１の下室の適当な位置には図のようにレバー４が装備され、レバー４は節水器具本体１の下室の内部とゴム１１によって接続されている。レバー４の下部は節水器具本体１から外に出ている。レバー４の下部には磁石ａ５が固着されている。また節水器具本体１の下部の適当な位置にも磁石ｂ６が固着されている。【００１２】  アーム機能部７は衛生面を心配するときに用いるもので、本発明を水道蛇口に取り付ける際に節水器具本体１の上部の適当な位置に装備するものである。足ペダル８は内部にバネが装着され、足ペダル８の上部先端には図のようにワイヤー９が取り付けられている。
【実施例】
【００１３】  以下、一実施例を説明する。まず水道の蛇口に本発明の節水器具本体１をさし込み、止め具１０で止める。顔を洗う場合は、まず水道の蛇口の栓を開ける。次に両手を合わせて水を汲むときのようにする。その手をレバー４の下部の横にもってゆき手の側面を使ってレバー４を押す。すると水が出てくるのでその水を手に受けて顔を洗う。手を洗う場合は、レバー４の下部を押し磁石ｂ６に固着させる。手を洗い終わったらレバー４を節水器具本体１の磁石ｂ６から外す。【００１４】  衛生面を考え足ペダル８を操作して使う場合は、まず節水器具本体１を水道蛇口に取り付ける際にアーム機能部７を適所に取り付ける。つづいて足ペダル８に付いているワイヤー９の端をアーム機能部７の先端部分に通してレバー４の下部に取り付ける。これで足ペダル８を適当に踏んだりゆるめたりすることによってレバー４が動くようになり、上記と同様の操作ができるのである。
【図面の簡単な説明】
【００１５】
【図１】  本発明の構造を表す節水器具の内部正面図
【図２】  本発明の構造を表す節水器具の内部側面図
【図３】  本発明の節水器具本体の内部透視斜視図
【図４】  パッキンＡ斜視図
【図５】  パッキンＢ斜視図
【図６】  レバー斜視図
【図７】  アーム機能部装着斜視図
【図８】  ワイヤー付き足ペダル斜視図
【図９】  本発明の節水器具使用斜視図▲１▼
【図１０】  本発明の節水器具使用斜視図▲２▼
【符号の説明】
【００１６】１    節水器具本体
２    パッキンＡ
３    パッキンＢ
４      レバー
５    磁石ａ
６    磁石ｂ
７    アーム機能部
８    足ペダル
９    ワイヤー
１０  止め具
１１  ゴム
【図１】
2009007913.tif 000003
【図２】
2009007913.tif 000004
【図３】
2009007913.tif 000005
【図４】
2009007913.tif 000006
【図５】
2009007913.tif 000007
【図６】
2009007913.tif 000008
【図７】
2009007913.tif 000009
【図８】
2009007913.tif 000010
【図９】
2009007913.tif 000011
【図１０】
2009007913.tif 000012